(57)【特許請求の範囲】
【請求項１】
パチンコ球が連続して流下する通路部と、前記通路部に臨み最先のパチンコ球を支持する回転体と、前記回転体を可動する電気的駆動源を備え、前記回転体の可動により通路部のパチンコ球を排出通路に払出するようにしたパチンコ機の球制御装置において、
前記通路部の通路幅をパチンコ球が複数個並ぶ幅広とすると共に、前記通路部の少なくとも最先のパチンコ球が位置する通路幅をパチンコ球がランダムに位置する幅広とし、
前記回転体の周面には同時に２個のパチンコ球を受け入れない球受部を設けたことを特徴とするパチンコ機の球制御装置。
【請求項２】
パチンコ球が連続して流下する通路部と、前記通路部に臨み最先のパチンコ球を支持する回転体と、前記回転体を可動する電気的駆動源を備え、前記回転体の可動により通路部のパチンコ球を排出通路に払出するようにしたパチンコ機の球制御装置において、
前記通路部の通路幅をパチンコ球が複数個並ぶ幅広とすると共に、前記通路部の少なくとも最先のパチンコ球が位置する通路幅をパチンコ球がランダムに位置する幅広とし、
前記回転体は前記通路部の側壁に向かう傾斜面を有すると共に、前記回転体の周面には同時に２個のパチンコ球を受け入れない球受部を設けたことを特徴とするパチンコ機の球制御装置。
【発明の詳細な説明】
【０００１】
【発明の属する技術分野】
本発明は、パチンコ球を制御して排出するパチンコ機の球制御装置に関するものである。
【０００２】
【従来の技術】
従来、パチンコ機の前面枠の前面には周知のように打球供給皿と下部貯留皿が設けられ、前面枠の裏面には遊技盤取付枠を介して遊技盤が着脱可能に取付けられ、該遊技盤の裏面には合成樹脂製の機構板が設けられている。そして、機構板の後面側には、パチンコ球を制御して払出す球払出装置が設けられ、球タンクのパチンコ球をタンクレールおよびカーブレール等の球誘導樋で一列に整列して導いていた。さらに機構板の下方には入賞球集合樋に集められたパチンコ球を制御しながら排出する入賞球処理装置が設けられている。
【０００３】
ところで、パチンコ機には一般に普通機と称されているパチンコ機と所謂ＣＲ機と称されるカード対応型のパチンコ機があり、普通機の場合、入賞球検出信号に基づいて所定個数の賞球を打球供給皿に払い出す球払出装置が設けられ、ＣＲ機は、その一側部にカード装置が隣接されており、予め金額情報が記録されたプリペイドカードまたは現金を投入口に挿入して球貸スイッチボタンを操作することにより所定個数の貸球が打球供給皿に払い出す球払出装置を上記賞球の球払出装置と別途に設けている。
【０００４】
また、従来の球払出装置は、前記球誘導樋に連続する供給通路と、該供給通路に臨んでパチンコ球を支持する回転体と、該回転体の回転により供給通路のパチンコ球が払出される排出通路とを備えてなるものが知られている。このような構成からなる球払出装置は、供給通路が前記一列に整列して導く球誘導樋の通路幅と等しく形成されていた。また、球誘導樋が仕切壁により複数の供給通路で供給すると、球払出装置も当然のことながら仕切壁により区画された複数の供給通路を備えていた。
【０００５】
【発明が解決しようとする課題】
ところで、従来の球制御装置である球払出装置および入賞球処理装置は、通路部がパチンコ球のほぼ直径に等しい１２ｍｍであるため、連続するパチンコ球の球心が流下方向に常に一定な状態にあり、回転体に支持される最先のパチンコ球にかかる球圧がすべて回転体にかかり電気的駆動源に大きな負担となり円滑なパチンコ球の払出しができなくなるという問題があった。
【０００６】
また、複数条でパチンコ球を供給する球払出装置においては、複数条で球払出装置に供給するに際し、球タンクのパチンコ球を球詰りすることなく整列するのに苦労し、しかも仕切壁により最低の装置幅が限られ装置全体の小型化に限度があった。
【０００７】
また、一気に入賞球が発生し入賞球集合樋に集合すると通路幅が狭いため許容量が少なく該入賞球集合樋から溢れ大入賞口の開閉に支障をきたすことがあった。
【０００８】
そこで本発明は、従来技術の有するこのような問題点に鑑みてなされたものであり、その目的とするところは、供給通路のパチンコ球を制御する回転体およびその電気的駆動源に負担をかけることなくスムーズに排出することができ、しかも装置全体の小型化を可能とすることができる画期的なパチンコ機の球制御装置を提供しようとするものである。
【０００９】
【課題を解決するための手段】
上記目的を達成するために、請求項１記載の発明は、パチンコ球が連続して流下する通路部と、該通路部に臨み最先のパチンコ球を支持する制御体と、該制御体を可動する電気的駆動源を備え、制御体の可動により通路部のパチンコ球を排出通路に払出するようにしたパチンコ機の球制御装置において、前記通路部の少なくとも最先のパチンコ球が位置する通路幅を、パチンコ球がランダムに位置する幅広としたことを特徴とする。
【００１０】
また、請求項２記載の発明は、請求項１記載の発明において、前記通路部を１３ｍｍからパチンコ球が２個並ばない通路幅としたことを特徴とする。
【００１１】
さらに、請求項３記載の発明は、請求項１または２記載の発明において、前記制御体は回転体であることを特徴とする。
【００１２】
また、請求項４記載の発明は、請求項３記載の発明において、前記回転体は通路部の側壁に向かう傾斜面を有することを特徴とする。
【００１３】
請求項５記載の発明は、請求項３または４記載の発明において、前記通路部は、パチンコ球が複数個並ぶ幅広の通路幅であり、回転体の周面には同時に２個のパチンコ球を受け入れない球受部を設けたことを特徴とする。
【００１４】
また、請求項６記載の発明は、請求項１記載の発明において、前記回転体に異なる個数のパチンコ球を受け入れる球受部を設けたことを特徴とする。
【００１５】
また、請求項７記載の発明は、請求項１ないし６のいずれかに記載の発明において、前記排出通路をパチンコ球がランダムに流下する幅広に形成すると共に、該排出通路を流下するパチンコ球を光学式センサにより検出するようにしたことを特徴とする。
【００１６】
また、本発明の球制御装置は、貸球または賞球用の球払出装置である。なお、パチンコ機間に設けられる球貸し機、あるいは球タンクへの補給機，ジェットカウンター等の球計数機にも適用することができる。さらには入賞球を機外に排出する入賞球排出処理装置にも適用することができる。
【００１７】
【発明の実施の形態】
次に、本発明のパチンコ機の球制御装置を図面を参照して説明する。図１は本発明が適用されるパチンコ機１の裏面図である。パチンコ機１の裏側には遊技盤の裏面全体を覆うように機構板２が配設されており、該機構板２の後面側にはパチンコ球を貯留する球タンク５が設けられ、該球タンク５の下方にパチンコ球を整列して流下させる球誘導樋６が設けられている。また、球誘導樋６は直線的なタンクレール７とその下流側に接続する屈曲したカーブレール８で構成される。そして、このカーブレール８の下流端に本発明の球制御装置としての球払出装置９が接続される。さらに球払出装置９の下方には、払出されたパチンコ球を機前の球受皿（図示せず）に導く排出樋１０が設けられている。また、機構板２の下方には、入賞球を集合する入賞球集合樋２３が形成され、該入賞球集合樋２３に集められた入賞球を機外に排出する球制御装置としての入賞球排出装置２４が通路部２５を介して配設されている。
【００１８】
次に、図２ないし図６を参照して本実施の形態に係るパチンコ機の球払出装置９の構成について説明する。球払出装置９は箱枠状のケース１２に前記カーブレール８の球通路８ａと連通する通路部としての供給通路１３と、該供給通路１３に臨み最先のパチンコ球を支持する制御体としての回転体１４と、該回転体１４の回転により供給通路１３のパチンコ球が移動する屈曲通路１５と、回転体１４の支持から外れ払出される排出通路１６とを備え、ケース１２のカバー体１７に前記回転体１４を回転する電気的駆動源としてのモータ１８が取付けられている。
【００１９】
しかして、前記供給通路１３は少なくとも最先のパチンコ球が回転体１４に支持される通路幅Ｗ（回転体の幅方向）をパチンコ球が回転体１４上をランダムに位置する幅広に形成され、本実施の形態において供給通路１３の通路幅Ｗを供給通路１３内にパチンコ球がランダムに並列可能な１８ｍｍとしている。１９は排出通路１６に払出されたパチンコ球を検出するセンサであり、該センサ１９は発光部１９ａと受光部１９ｂとからなる光学式センサで、しかも排出通路１６の中心線からずれた位置でその光軸が交差するように配置される。そして回転体１４による制止が開放されたパチンコ球が光軸を遮ることで該パチンコ球を検知し得るように配置される。
【００２０】
前記回転体１４は、合成樹脂により成形され図３および図５に示すように通路幅Ｗとほぼ等しい寸法を有する円柱状をしており、その周面に軸方向と平行な溝状の球受部２０を複数（本実施の形態では４条）形成し、その中心をモータ軸１８ａに取付けモータ１８の回転により幅方向と直交する方向に回動するようにしている。そして、球受部２０は前記供給通路１３にランダムに並んだパチンコ球が同時に２個受け入れない形状が選ばれる。なお、回転体１４の幅寸法はランダムに並んだパチンコ球の球心を支持する寸法があればよく、本実施の形態では供給通路１３の中心に位置して８ｍｍの寸法があればよい。また、回転体１４はアルミ合金等によりダイカスト成形してもよく、当然のことながら強度に優れしかもパチンコ球に帯電した静電気を放電し、静電気による障害を未然に防止することができる。
【００２１】
次に、上記構成からなる球払出装置９の払出し動作について図５および図６を参照して説明する。前記カーブレール８の球通路８ａから供給通路１３にパチンコ球が供給され、図５および図６（ａ）に示すように最先のパチンコ球Ｂ１が回転体１４の球受部２０に支持されてランダムに並ぶ。この状態でモータ１８を駆動し、回転体１４を図４において矢印で示す時計回り方向に回転させると、供給通路１３のパチンコ球Ｂ１は図６（ｂ）に示すように球受部２０で支持されつつ屈曲通路１５を移動し、後続のパチンコ球Ｂ２が図６（ｃ）に示すように球受部２０に支持される。そして、さらに回転体１４が回動すると図６（ｄ）に示すようにパチンコ球Ｂ１が球受部２０の支持から外れて排出通路１６に落下しセンサ１９で検出され、図６（ａ）に示す最先のパチンコ球が球受部２０に支持される状態となる。そして、さらに回転体１４が回転するとパチンコ球Ｂ２が球受部２０の支持から外れて排出通路１６に落下することになる。
【００２２】
このようにして、回転体１４の回転によって排出通路１６に１個ずつ落下する供給通路１３のパチンコ球Ｂ１，Ｂ２…は、排出通路１６でセンサ１９の光軸を遮りながら落下し、排出樋１０に排出されることになる。そして、所定個数の払出しが行われ、センサ１９によりパチンコ球が検知されるとモータ１８が停止する。また、排出通路１６が幅広であっても光学式センサ１９により確実に通過するパチンコ球を検出することができる。なお、センサ１９は払出されたパチンコ球を検出するのではなく払出される直前のパチンコ球を検出するようにしてもよい。
【００２３】
以上のように、本実施の形態に係る球払出装置９は、図５実線および鎖線に示すように供給通路１３にパチンコ球がランダムに並ぶことにより、球圧が回転体１４に直下的に掛かることなく供給通路１３側壁に分散するようにしたので、回転体１４に掛かる球圧が減少されモータ１８への負荷を軽減させることができる。また、供給通路１３の側壁に球圧がかかるので、該側壁に摩耗を防ぐ補強用の鉄板を備えたり、少なくとも供給通路１３部分をアルミ合金等によりダイカスト成形したりしてもよい。
【００２４】
また、カーブレール８の球通路８ａをパチンコ球の径とほぼ等しい１２ｍｍとし、供給通路１３の通路幅Ｗをパチンコ球がランダムに並ぶ幅広とすることで、従来のタンクレール７およびカーブレール８がそのまま使用でき、例え球払出装置９の取付時に多少の位置ずれがあったり成形時にヒケがあったとしても、パチンコ球を球払出装置９に確実に供給することができる。さらに、１２ｍｍの球通路８ａから幅広の供給通路１３にパチンコ球が供給されることでパチンコ球の動きがランダムとなり適度な振動が発生し、それがバイブ効果となり球詰りを防止する効果を生ずる。なお、タンクレール７およびカーブレール８の球通路８ａを供給通路１３と同様にパチンコ球がランダムに並ぶ幅広としてもよい。
【００２５】
また、供給通路１３の通路幅Ｗをパチンコ球がランダムに並ぶ幅広にすることにより、該供給通路に位置するパチンコ球の球心Ｏがずれて球間隔Ｄが球径より短くなり、高速で払出しが行われてもパチンコ球間に隙間ができず、いわゆる「大当り」になって短時間に大量の賞球が払出される際にも空出しすることなく確実にパチンコ球の払出しが行われる。
【００２６】
また、図７は球受部２０と球支持部２１を交互に設けた回転体１４を示し、該球支持面２１は軸心からの真円とせず回転方向端部から球受部２０に向かい徐々に軸心に近づくように下傾して他方の端部は球受部２０と円弧面でつながっている。そして、図８に示すように球支持部２１で支持されたパチンコ球は回転体１４の回転に伴い同図鎖線に示すように、徐々に下降して球受部２０にスムーズに受け入れられるようになる。
【００２７】
また、図９および図１０に示すように、回転体１４の端部に内方に向って傾斜する円錐台形のガイド部２６を形成してもよく、該ガイド部２６により供給通路１３のパチンコ球を中央に集束して排出通路１６に払出すことができ、センサ１９の検知ずれを防止する。なお、ガイド部２６は幅方向のいずれか一方に設けてもよく、さらには両端のガイド部２６，２６の傾斜角度をそれぞれ異ならせるようにして供給通路１３内のパチンコ球の位置関係をずらすようにしてもよい。また、ガイド部２６に僅かな凹凸を設けて回転体１４の回転によってパチンコ球に微振動を発生して球詰りを防止するようにしてもよい。
【００２８】
上記実施の形態において制御体をスプロケット型の回転体としたが、スプロケットを捻った形状であっても螺旋状のスクリュータイプとしてもよい。さらに、制御体は供給通路に進退してパチンコ球を制御する揺動体としてもよい。また、電気的駆動源にソレノイドを用いてパチンコ球の自重により回転または揺動する制御体を可動するようにしてもよい。なお、本実施の形態において供給通路を１条として説明したが複数の供給通路としてもよいのはいうまでもない。
【００２９】
図１１および図１２に供給通路１３の通路幅Ｗをパチンコ球の径の２倍以上とした実施の形態を示し、具体的には２４ｍｍの通路幅としている。そして、屈曲通路１５において通路幅Ｗを回転体１４の中心側に絞り込み排出通路１６でパチンコ球のほぼ１個程度とし、該排出通路１６に検出センサ１９として近接スイッチを設けて払出されたパチンコ球を１個ずつ検出するようにしている。また、制御体としての回転体１４は、周面外側にパチンコ球を支持する球支持面２１を側壁側に交互に形成したＶ溝状の球受部２０を複数（本実施の形態では６条）設けており、該球受部２０は同時に２個のパチンコ球を受け入れない幅として、１個は球支持部２１で支持するようにしている。このように、球受部２０をＶ溝状にすることでパチンコ球が常に二点支持され、一点で支持されるのに比べ安定した状態で支持される。さらに、埃やゴミが球受部２０内に入ってもＶ溝状になっていることでパチンコ球が直接埃やゴミに接触することがなく、埃やゴミにより払出しに支障をきたすことはない。なお、この実施の形態において、カーブレール８の球通路８ａを前記実施の形態の１２ｍｍと異なり、該実施の形態の供給通路１３の通路幅と同様に球通路８ａにパチンコ球がジグザグ状にランダムに並列可能な２４ｍｍの幅広としている。
【００３０】
上記構成の球払出装置９は、供給通路１３に球通路８ａからパチンコ球が供給されると図１１（ａ）および図１２（ａ）に示すように、最先のパチンコ球Ｂ１が球受部２０に受け入れられて後続のパチンコ球が球支持部２１で支持されたりして供給通路１３で連続してランダムに連なって待機している。この状態で払出し信号によりモータ１８が駆動し、回転体１４が回転すると、供給通路１３のパチンコ球Ｂ１は図１１（ｂ）および図１２（ｂ）に示すように球受部２０で支持されつつ屈曲通路１５の傾斜面で中央に移動しながら下降し、一旦後続のパチンコ球Ｂ２…が回転体１４の球受部２０と球受部２０との間の周面に支持される。このとき、供給通路１３内のパチンコ球がバランスがとれて球詰りのようになるものの、図１１（ｃ）および図１２（ｃ）に示すように回転体１４が回転しパチンコ球Ｂ２が球受部２０に受け入れられることによりバランスが崩れパチンコ球が流下する。そして、さらに回転体１４が回転すると、図１１（ｄ）および図１２（ｄ）に示すようにパチンコ球Ｂ１が球受部２０の支持から外れて排出通路１６に落下し、検出センサ１９によって検知されて排出樋１７に排出され、後続のパチンコ球Ｂ２…も同様に検出センサ１９によって検知されて排出されることになる。
【００３１】
このとき供給通路１３内のパチンコ球は、例え少数の払出しでも図１２（ａ）〜（ｄ）に示すように上下方向だけでなく左右方向にもランダムに動くため球圧が四方に分散すると共に、パチンコ球どうしの接点がずれてパチンコ球の配列が変化することにより球詰まりが発生することはない。そして、パチンコ球が払出されるたびに通路内のパチンコ球がランダムに動き並び方が変化して振動が発生し、それがバイブ効果となりカーブレール８は勿論のこと上流のタンクレール７および球タンク５の球詰りを解消することができる。さらに、カーブレール８の球通路８ａを供給通路１３と同様に通路幅をパチンコ球がランダムに並ぶ幅広とすることで、通常のタンクレール７およびカーブレール８に比べ成形も簡単になる。
【００３２】
図１３ないし図１７は屈曲通路１５に球抜手段２７を設けた実施の形態を示し、他に前記球払出装置９と異なる点は供給通路１３および屈曲通路１５，排出通路１６が別部材により形成されている点であるため同じ構成要素には同一符号を付して説明する。前記球抜手段２７は屈曲通路１５に開口２８を開設すると共に該開口２８に球抜弁２９を支軸３０により揺動自在に配設し、常には図１５ないし図１７に示すように該球抜弁２９が開口２８を閉塞する状態におり、カバー体１７に設けたロック部材３１がスプリング３２の付勢により上動して、長孔３３から臨んだ弁部材２９に突設した係合ピン３４に係止することに閉塞状態を保持している。前記開口２８に臨み屈曲通路１５の一部をなす球抜弁２９の内面は、図１６および図１７に示すように供給通路１３の最先のパチンコ球を回転体１４の球受部２０とともに支持する支持面２９ａと、回転体１４の回転にともない球受部２０に受け入れられたパチンコ球を排出通路１６に誘導する回転体１４の支軸を中心とする円弧状のガイド面２９ｂを有する。
【００３３】
上記球払出装置９の検出センサ１９は、排出通路１６の外周を囲うように設けられ、略正方形状のプリント基板３５のそれぞれ相対する２辺に発光部１９ａと受光部１９ｂとが実装され、該検出センサ１９のそれぞれの光軸がパチンコ球の通過方向と直交する一平面内で排出通路１０の中心にて交差するように配置している。そして、払出し信号によりモータ１８が駆動して回転体１４が回転すると球受部２０に受け入れられたパチンコ球が排出通路１６に排出され、検出センサ１９のそれぞれの光軸を略同時に遮ることにより球検出信号を発信させることができる。このため例えば遊技者が不正の目的をもって針金のようなものを進入させこの光軸を遮ることにより球検出信号を発信させようとしても、両光軸を同時に遮ることは極めて困難であるので、そのような不正行為をほぼ完全に防ぐことが可能となる。
【００３４】
次に上記球払出装置９の球抜きは、供給通路１３内にパチンコ球がある状態で図１５鎖線に示すようにロック部材３１をスプリング３２の付勢に抗して下動すると、弁部材２９に支持されたパチンコ球の荷重により弁部材２９が図１７に示すように揺動し球払出装置９内のパチンコ球が球抜通路３６に球抜きされる。そして、すべてのパチンコ球が球抜きされると弁部材２９が自重により開口２８を閉塞するように揺動するので、再度ロック部材３１をスプリング３２の付勢に抗して下動してから手を放すとロック部材３１が係合ピン３４に係止し弁部材２９を開口２８を閉塞した払出し可能状態で固定保持される。
【００３５】
なお、回転体１４は図１８に示すように球受部２０を周面に連続的に設けるようにしてもよいのはいうまでもない。
【００３６】
また、回転体１４の球受部２０は図１９に示すように、球受部２０の中央部を外側部より回転体１４の回転方向（図１９矢印方向）側に位置するように傾斜させるようにしてもよく、このようにすることで回転体１４が回転するにともないパチンコ球が球受部２０の傾斜により自然と中央側に寄せられるため、屈曲通路１５を傾斜して中央側に寄せる必要がなくなる。
【００３７】
さらに、制御体としての回転体１４は供給通路１３の側壁に向かう傾斜面を有する円錐体としてもよく、図２０に示す紡錘形としてもよい。また、紡錘形とすることで球受部２０および球支持部２１で受入れまたは支持されたパチンコ球は回転体１４の側壁側に下傾する傾斜面により必ず供給通路１３の側壁で支持されるようになり、確実に球圧を分散させることができる。
【００３８】
また、図２１に示す回転体１４は、球支持部２１を交互に逆傾斜にすることにより球支持部２１間に球受部２０を形成し、球支持部２１のパチンコ球が自然に球受部２０に導かれるように形成している。該回転体１４は特に、球支持部２１を球受部２０に向かう傾斜とすることで回転体１４をパチンコ球の自重により回転させて払出す球払出装置９においては効果が著しい。
【００３９】
そこで上記自重により回転させる回転体１４を備えた球払出装置９について説明する。該球払出装置９は、回転体１４の軸心４６位置を供給通路１３の最先のパチンコ球の球心位置より反屈曲通路１５側に僅かに位置をずらしてパチンコ球の自重により回転体１４を回動するようにしている。また、図２２ないし図２４に示すように回転体１４の停止機構３７として、該回転体１４の同軸４６に設けられた側板３８の周縁部に６０゜間隔で球受部２０と同数の６箇所に切欠形成されている爪部３９，３９…と、該爪部３９，３９…に当接離脱可能な突起４０を有する略く字状の停止部材４１とで構成され、該停止部材４１はスプリング４２を介してソレノイド４３のプランジャ４４に連結されている。なお、該停止部材４１は軸４５を介して爪部３９に対して側方から作用するように設置されていて、爪部３９の回転作用力が停止部材４１の軸４５方向に向かうようになっており爪部３９と突起４０との係合が確実になされる。そして、ソレノイド４３が消磁されている常態のとき、スプリング４２の弾発力によって突起４０が爪部３９に当接するように付勢されて回転体１４の回転を阻止する。この状態で、ソレノイド４３を励磁すると図２２鎖線に示すようにスプリング４２の付勢に抗してプランジャ４４が吸引され、停止部材４１が回動し突起４０が爪部３９から離脱し、回転体１４は図２４鎖線に示すように球受部２０に受け入れられたパチンコ球の自重によって回転し払出される。そして、検出センサ１９により所定個数のパチンコ球が検出されるとソレノイド４３を消磁して、前記と同様の作用によって、突起４０が爪部３９に当接して回転体１４の回転を阻止する。
【００４０】
このように球受部２０受け入れられたパチンコ球の自重によって回転する回転体１４にあっては、例えば供給通路１３が球抜後の空の状態の時に誤ってパチンコ球が１個供給通路１３に入り込んで球支持部２１で支持された場合、この実施の形態のように球支持部２１が球受部２０側に傾斜していないと、いくらソレノイド４３を励磁しても該パチンコ球により回転体１４に回転力が与えられないが、この実施の形態のように球支持部２１が球受部２０側に傾斜していることにより球支持部２１で支持されたパチンコ球は図２３に示すように確実に球受部２０に導かれ回転体１４に回転力を与えることができるので最後の１個まで払出しが可能となる。また、供給通路１３の最先のパチンコ球の球心位置を回転体１４の軸心４６位置より反屈曲通路１５側に僅かに位置をずらした軸心４６近くであっても確実に払出しが可能となる。
【００４１】
図２５に示す実施の形態は、回転体１４の妄動防止手段を設けた実施の形態を示し、妄動防止手段として上記パチンコ球の自重により回転する回転体１４の同軸４６状に１０葉ロータ４７を設けると共に、該１０葉ロータ４７に噛合する１０葉ロータ４９を軸４８に設けるようにして、パチンコ球の自重により該１０葉ロータ４９を回転させる負荷を与えることにより、回転体１４の暴走を抑制し１個単位の確実な払出しを行うようにした。なお、葉ロータ４７，４９の葉数は任意に変更可能であり、該葉ロータ４７，４９に替えて普通のギアとしてもよい。また、葉ロータ４７，４９の大きさおよび材質または重錘を設けることで重さを変更して回転体１４を回転させる負荷を調整することができる。
【００４２】
また、上記してきた供給通路１３を図２６に示すように屈曲させるようにしてもよく、屈曲させることにより球圧を弱めると共に、払出しに伴ってパチンコ球の配列が変化する際に、屈曲した傾斜面にパチンコ球が落下して振動が発生し適度なバイブ効果をもたらすことができる。さらに、供給通路１３内面に突部を形成したり段状にしたりしてパチンコ球の流下を変更したり球圧を変化させたりするようにしてもよい。また、前記屈曲した傾斜面に摩耗を防ぐ補強用の鉄板を備えたり、少なくとも屈曲部分をアルミ合金等によりダイカスト成形したりするようにしてもよい。また、供給通路１３のパチンコ球が崩れるように供給流下するため、回転体１４も同様にアルミ合金等によりダイカスト成形するのが好ましい。
【００４３】
なお、当然のことながらパチンコ球が２個並ぶ幅広でありながら従来と異なり仕切壁がない本実施の形態の球払出装置９においては、少なくともその仕切壁分球払出装置９を薄くコンパクトにすることが可能となり、貸球用および賞球用等複数の球払出装置を上下位置に設けても嵩張ることなく重ねて設けることも可能となる。
【００４４】
また、供給通路をパチンコ球が２個並ぶ幅広とした実施の形態において、屈曲通路１５を中心側に絞り込み排出通路１６でパチンコ球のほぼ１個程度として、該排出通路１６に検出センサ１９として近接スイッチを設けるようにしたが、幅広の近接スイッチとしてもよく、当然のことながら幅広の前記実施の形態に示したように屈曲通路１５および排出通路１６を供給通路１３と同じ幅広とし、該排出通路１６に光学式センサを設けるようにして払出されたパチンコ球を検出するようにしてもよい。
【００４５】
また、図２７に示すように供給通路１３の始端と少なくとも最先のパチンコ球が位置する通路幅を異ならして球圧を緩和するようにしてもよく、同図のように供給通路１３の供給口が回転体１４の中心位置からずれている場合には回転体１４を円錐台形として供給口と反対側に位置する球受部２０に確実にパチンコ球が受け入れられるようにするのが好ましい。
【００４６】
なお、上記した実施の形態では、通路幅Ｗをパチンコ球が２個並ぶ２４ｍｍとしたが、図２８に示すように３個並ぶ通路幅Ｗとしてもよく、該回転体１４は供給通路１３の最先に位置するパチンコ球が１個ずつ嵌るように位置をずらして球受部２０を設けている。なお、本発明は同時に２個のパチンコ球が球受部２０に受け入れない限り、通路幅Ｗに限定されることなく３個以上並ぶ通路幅Ｗでもパチンコ球を１個ずつ払出すことは可能である。
【００４７】
また、上述した球払出装置９は１個ずつの払出しを可能なものとしたが、本発明はそれに限ることなく、回転体１４に同時に複数個のパチンコ球を受け入れる球受部２０を設け複数のパチンコ球を同時に払出すようにしてもよく、好ましくは図１９に示したように球受部２０を回転軸に対して傾斜状に設け、球受部２０に受入れられた複数のパチンコ球が球受部２０の支持から時間差をもって開放されて払出されるようにするのが好ましい。このように供給通路１３をパチンコ球が複数並列する幅広として同時に複数個のパチンコ球を受け入れることで回転体１４の１回転で多数のパチンコ球の払出しができるので、コストの安い低トルクのモータ１８を使用することができる。
【００４８】
さらに、回転体１４の周面に異なる数のパチンコ球を受け入れる球受部２０を設けてもよく、図２９に示すように例えば３個のパチンコ球が並ぶ供給通路１３の通路幅であって、同時に１個ずつ２個のパチンコ球を受け入れる球受部２０ａと同時に３個のパチンコ球を受け入れる球受部２０ｂを交互に設けて、５個単位のパチンコ球を払出すようにしてもよい。このとき球受部２０ａのパチンコ球は球受部２０ｂのパチンコ球の移動軌跡を通るようにするのが好ましく、同図鎖線に示すセンサ１９により検出しやすくするのがよい。なお、上記球受部２０ａは同時に２個のパチンコ球を受入れるようにしてもよく、さらに球受部２０は上記した実施の形態の二種類に限定されることなく例えば１〜３個のパチンコ球を受け入れるように多種類の球受部２０を順次または任意に設けるようにしてもよい。
【００４９】
また、本発明の球払出装置９は、供給通路１３をパチンコ球が複数並列する幅広とすることで、球誘導樋６でパチンコ球を整列する必要がないので、例えば球タンク５の球導出口に直接設けることも可能となる。このとき球払出装置９の供給通路１３を図示したように垂直状の供給通路１３に限らず球圧を減少させるために傾斜状に設けるようにするのが好ましい。
【００５０】
また、例えば機構板２をアルミ合金等のダイカストまたはマグネシウムをチクソーモールディングで成形し、供給通路１３の一部として該機構板２を利用してもよく、さらに供給通路１３の側壁を機構板２と一体に形成してもよい。このようにすることで樹脂により幅広の通路部分を成形する際のヒケや金型のコアの破損等の問題を解決することができる。
【００５１】
なお、上記した供給通路１３を２４ｍｍの幅広とした実施の形態においてカーブレール８の球通路８ａを該球通路８ａにパチンコ球がジグザグ状にランダムに並ぶ２４ｍｍの幅広としたが、図３０に示すように従来のカーブレールのように１２ｍｍの通路幅であって複数の球通路８ａ，８ｂによって幅広の供給通路１３に供給するようにしても何等問題はない。
【００５２】
このように、複数の球通路８ａ，８ｂによって球払出装置に供給するパチンコ機にあっては、それぞれの球通路８ａ，８ｂに対応して貸球用および賞球用の球払出装置を個々に設けたＣＲ機を、球払出装置の取付部に互換性を持たせるようにして本発明の球払出装置９に交換するだけで機構板２および球誘導樋６（タンクレール７およびカーブレール８）をそのまま使用して普通機としてのパチンコ機に容易に変更使用することができるので普通機とカード対応型のパチンコ機の機構板とをそれぞれ別々に形成することがなく金型等の製造コストを大幅に下げることができると共に在庫管理を容易にすることができる。また、３条の球通路でパチンコ球を導き１条および２条の球払出装置を設けたＣＲ機であっても、図２８に示した球払出装置９に交換することで球誘導樋６の球通路を閉鎖することなく普通機としてのパチンコ機に変更使用することができる。
【００５３】
なお、上記球払出装置は、パチンコ機間に設けられる球貸し機、あるいは球タンクへの補給機、ジェットカウンター等の球計数機にも適用することができる。さらには本発明の球制御装置として入賞球を機外に排出する入賞球排出処理装置２４にも適用することができ、入賞球集合樋２３で球詰りを起すことなく入賞球を排出処理することができ、しかも通路部を幅広に形成するのに伴って入賞球集合樋２３を幅広にすることにより入賞球の貯留量を増やすことができ従来のように溢れ出た入賞球による不具合を解消することができる。
【００５４】
【発明の効果】
以上に述べたように本発明に係るパチンコ球の球制御装置は、通路部の少なくとも最先のパチンコ球が位置する通路幅を、パチンコ球がランダムに位置する幅広とすることにより、回転体および電気的駆動源への負荷を軽減することができ、回転体の回転がスムーズとなる。
【００５５】
また、通路部をパチンコ球がランダムに並ぶ幅広にすることにより、該通路部に位置するパチンコ球の球心がずれて球間隔が短くなり、高速で払出しが行われてもパチンコ球間に隙間ができず、球払出装置においていわゆる「大当り」になって短時間に大量の賞球が払出される際にも確実に払出しが行われる。
【００５６】
また、通路部をパチンコ球が２個以上並ぶ幅広とすることで、通路部にパチンコ球がよりランダムに並び、通路部を流下するパチンコ球の振動によってバイブ効果が発生し、球詰りを解消することができる。また、球払出装置において仕切壁を設けないため装置全体を小型化することができる。
【図面の簡単な説明】
【図１】本発明が適用されるパチンコ機の裏面図である。
【図２】本発明に係る球制御装置としての球払出装置の斜視図である。
【図３】図２の分解斜視図である。
【図４】球払出装置部分の正断面図である。
【図５】球払出装置の側断面図である。
【図６】（ａ）〜（ｄ）はパチンコ球の払出作用を説明するための正断面図である。
【図７】他の実施の形態の回転体の斜視図である。
【図８】図７の回転体を備えた球払出装置の側断面図である。
【図９】他の実施の形態の回転体の斜視図である。
【図１０】図９の回転体を備えた球払出装置の側断面図である。
【図１１】（ａ）〜（ｄ）は他の実施の形態の球払出装置の作用を説明する正断面図である。
【図１２】（ａ）〜（ｄ）は図１１の球払出装置の側断面図である。
【図１３】球抜手段を備えた球払出装置の斜視図である。
【図１４】図１３の分解斜視図である。
【図１５】図１３の球払出装置の正面図である。
【図１６】図１５の正断面図である。
【図１７】球抜きの作用を示す正断面図である。
【図１８】他の実施の形態の回転体の斜視図である。
【図１９】他の実施の形態の回転体の斜視図である。
【図２０】他の実施の形態の回転体の斜視図である。
【図２１】他の実施の形態の回転体の斜視図である。
【図２２】図２１の回転体を備えた球払出装置の正面図である。
【図２３】図２２の側断面図である。
【図２４】図２２の正断面図である。
【図２５】回転体の妄動防止手段を設けた実施の形態を示す側面図である。
【図２６】供給通路を屈曲させた球払出装置の側断面図である。
【図２７】他の実施の形態の球払出装置の側断面図である。
【図２８】他の実施の形態の球払出装置の平断面図である。
【図２９】他の実施の形態の球払出装置の側断面図である。
【図３０】他の実施の形態の球払出装置の側断面図である。
【符号の説明】
９                    球払出装置（球制御装置）
１３                  供給通路（通路部）
１４                  回転体（制御体）
１６                  排出通路
１８                  モータ（電気的駆動源）
１９                  センサ
２０                  球受部
２０ａ，２０ｂ        球受部
２４                  入賞球排出装置（球制御装置）
２５                  通路部
４３                  ソレノイド（電気的駆動源）
Ｗ                    通路幅
【図１】
0003563368.tif 000002
【図２】
0003563368.tif 000003
【図３】
0003563368.tif 000004
【図４】
0003563368.tif 000005
【図５】
0003563368.tif 000006
【図６】
0003563368.tif 000007
【図７】
0003563368.tif 000008
【図８】
0003563368.tif 000009
【図９】
0003563368.tif 000010
【図１０】
0003563368.tif 000011
【図１１】
0003563368.tif 000012
【図１２】
0003563368.tif 000013
【図１３】
0003563368.tif 000014
【図１４】
0003563368.tif 000015
【図１５】
0003563368.tif 000016
【図１６】
0003563368.tif 000017
【図１７】
0003563368.tif 000018
【図１８】
0003563368.tif 000019
【図１９】
0003563368.tif 000020
【図２０】
0003563368.tif 000021
【図２１】
0003563368.tif 000022
【図２２】
0003563368.tif 000023
【図２３】
0003563368.tif 000024
【図２４】
0003563368.tif 000025
【図２５】
0003563368.tif 000026
【図２６】
0003563368.tif 000027
【図２７】
0003563368.tif 000028
【図２８】
0003563368.tif 000029
【図２９】
0003563368.tif 000030
【図３０】
0003563368.tif 000031